(57)【要約】【課題】収縮時ロック機能及び摺動機能が経時で低下しにくいアーム部を提供すること。【解決手段】清掃具１用のアーム部５であって、アーム部５が、第１筒体２０１と、第２筒体２０３とを少なくとも備え、アーム部５が、中空部２０２に配置され且つ内面２４５と摺動しない第１ロック部２３５，２３６を備えているロック部材２２５を備え、アーム部５が、第２基端部２１３において、挿入部３０１と、筒状部３０３とを備える摺動部材２２７を備え、摺動部材２２７が、筒状部３０３に連結された第２ロック部３２１，３２２であって、中空部２０２に配置され且つ内面２４５と摺動しないものをさらに備えており、第１ロック部２３５，２３６と、第２ロック部３２１，３２２とが、それらの距離を近づけることによりロックし且つそれらの距離を遠ざけることによりアンロックするように構成されていることを特徴とするアーム部５。【選択図】図４
2018126335.tif 000002
【特許請求の範囲】
【請求項１】
たわみ方向を有する清掃体取付部を備える清掃具用のアーム部であって、
前記アーム部が、軸線及び周方向を備え、基端と、先端とを有し、
前記アーム部が、中空部を有し且つ内面を備えている第１筒体と、前記中空部内に挿入される第２筒体とを少なくとも備え、前記アーム部が、前記軸線の方向に伸縮可能であるように構成されており、
第１筒体が、前記基端よりの第１基端部と、前記先端よりの第１先端部とを有し、
第２筒体が、前記基端よりの第２基端部と、前記先端よりの第２先端部とを有し、
前記アーム部が、第１基端部において、第１筒体と連結しているロック部材であって、前記中空部に配置され且つ前記内面と摺動しない第１ロック部を備えているものを備え、
前記アーム部が、第２基端部において、第２筒体と連結している挿入部と、前記内面と摺動するように構成されている筒状部とを備える摺動部材を備え、
前記摺動部材が、前記筒状部に連結された第２ロック部であって、前記中空部に配置され且つ前記内面と摺動しないものをさらに備えており、
第１ロック部と、第２ロック部とが、それらの距離を近づけることによりロックし且つそれらの距離を遠ざけることによりアンロックするように構成されている、
ことを特徴とする、前記アーム部。
【請求項２】
第１ロック部及び第２ロック部の一方が嵌合用突起部であり、他方が嵌合用窪み部である、請求項１に記載のアーム部。
【請求項３】
前記嵌合用突起部が、一対の嵌合用突起部であって、それぞれが、前記軸線の方向に延びている延出部と、前記延出部の先端を基点として外方に突出している凸部とを有するものを備えており、そして前記嵌合用窪み部が、一対の嵌合用窪み部であって、それぞれが、外方に窪んでいる凹部を有するものを備えている、請求項２に記載のアーム部。
【請求項４】
前記筒状部が、前記たわみ方向の両側部に配置された、一対の高たわみ部と、前記たわみ方向の両端部に配置され且つ前記一対の高たわみ部よりも内方にたわみにくい、一対の低たわみ部とを備えている、請求項１〜３のいずれか一項に記載のアーム部。
【請求項５】
前記筒状部が、前記一対の高たわみ部のそれぞれと、前記一対の低たわみ部のそれぞれとの間に、前記軸線の方向に延びるスリット部を備えている、請求項４に記載のアーム部。
【請求項６】
前記一対の高たわみ部のそれぞれが、前記周方向に延在し且つ前記内面と摺動するように構成された高たわみ部周方向延出部と、前記軸線の方向に延在し且つ前記内面と摺動するように構成された高たわみ部軸線方向延出部とを備えている、請求項４又は５に記載のアーム部。
【請求項７】
前記一対の低たわみ部のそれぞれが、前記周方向に延在し且つ第１筒体の前記内面と摺動するように構成された低たわみ部周方向延出部と、前記軸線の方向に延在し且つ前記内面と摺動するように構成された低たわみ部軸線方向延出部とを備えている、請求項４〜６のいずれか一項に記載のアーム部。
【請求項８】
第１筒体が、前記たわみ方向に長い、前記内面の断面形状を有する、請求項４〜７のいずれか一項に記載のアーム部。
【請求項９】
第１筒体が、前記基端よりの第１基端部と、前記先端よりの第１先端部とを有し、第１先端部における第１筒体の前記内面の断面形状が、第１基端部における第１筒体の前記内面の断面形状よりも小さく、前記一対の低たわみ部が、第１基端部における第１筒体の前記内面と接しないが、第１先端部における第１筒体の前記内面と接するように構成されている、請求項４〜８のいずれか一項に記載のアーム部。
【請求項１０】
第２ロック部が前記嵌合用突起部であり、前記嵌合用突起部が、前記一対の低たわみ部の一方又は両方を基点としている、請求項４〜９のいずれか一項に記載のアーム部。
【請求項１１】
第１筒体が、第１先端部の前記内面に、内方に突出する先端側係止部及び基端側係止部と、前記先端側係止部及び基端側係止部の間に配置された係合面とを備えており、前記アーム部が、前記筒状部と、第１筒体の前記係合面とを係合させることにより、前記アーム部の伸長形態を保持することができるように構成されている、請求項１〜１０のいずれか一項に記載のアーム部。
【発明の詳細な説明】
【技術分野】
【０００１】
本開示は、清掃具用のアーム部に関する。
【背景技術】
【０００２】
使い捨ての清掃体を清掃体取付部に取付け、ホコリ等の拭き清掃を行う清掃具が市販されている。上記清掃具として、例えば、把持部を備え且つ伸縮可能なアーム部と、清掃体取付部とを備えているものが知られている。
【０００３】
例えば、特許文献１には、複数の筒状体を伸縮可能に嵌合してなる伸縮棒状具において、小径筒状体の先端部に設けたスライダが大径筒状体の内径部に摺動可能に挿入され、スライダが、小径筒状体に固着されるボトム部と、ボトム部の外縁から短筒状に延びるスカート部とを備え、スライダのボトム部の外周部の軸方向に沿って設けた狭幅溝及びスカート部の軸方向に沿って設けた広幅溝を、大径筒状体の内径部の軸方向に沿って延在したガイドリブに係合せしめることにより、相伸縮する筒状体間の回転をロック可能とし、スライダのスカート部の外周の周方向に設けた突条部を、大径筒状体の両端寄り内径部のそれぞれに設けた伸び側ロック溝と縮み側ロック溝のそれぞれに係合せしめることにより、相伸縮する筒状体間の伸縮長さをロック可能としてなることを特徴とする伸縮棒状具が開示されている。
【０００４】
特許文献１に記載の伸縮棒状具では、スライダのスカート部の外周に配置された突条部が、筒状体の内径部に配置された伸び側ロック溝及び縮み側ロック溝と係合し、そして上記突条部は、特許文献１の図６に示されるように、筒状体の内径部とさらに摺動する。
【先行技術文献】
【特許文献】
【０００５】
【特許文献１】特開平１０−２３５５７４号公報
【発明の概要】
【発明が解決しようとする課題】
【０００６】
特許文献１の伸縮棒状具では、スライダのスカート部の外周に配置された突条部が、本願明細書で定義するところの伸縮時ロック機構、摺動機構及び伸長時ロック機構のいずれにも必須の構成要素である。しかし、スライダが摺動機構を発動するためには、特許文献１の図６に示されるように、スライダのスカート部が、内方にたわみ続ける必要がある。従って、特許文献１の伸縮棒状具では、使用に伴い、スカート部の外方への反発力が弱まる傾向がある。その結果、特許文献１の伸縮棒状具は、使用により、伸縮時ロック機能、摺動機能及び伸長時ロック機能を発揮しにくくなる傾向がある。
従って、本開示は、収縮時ロック機能及び摺動機能が経時で低下しにくいアーム部を提供することを目的とする。
【課題を解決するための手段】
【０００７】
本開示者らは、たわみ方向を有する清掃体取付部を備える清掃具用のアーム部であって、上記アーム部が、軸線及び周方向を備え、基端と、先端とを有し、上記アーム部が、中空部を有し且つ内面を備えている第１筒体と、上記中空部内に挿入される第２筒体とを少なくとも備え、上記アーム部が、上記軸線の方向に伸縮可能であるように構成されており、第１筒体が、上記基端よりの第１基端部と、上記先端よりの第１先端部とを有し、第２筒体が、上記基端よりの第２基端部と、上記先端よりの第２先端部とを有し、上記アーム部が、第１基端部において、第１筒体と連結しているロック部材であって、上記中空部に配置され且つ上記内面と摺動しない第１ロック部を備えているものを備え、上記アーム部が、第２基端部において、第２筒体と連結している挿入部と、上記内面と摺動するように構成されている筒状部とを備える摺動部材を備え、上記摺動部材が、上記筒状部に連結された第２ロック部であって、上記中空部に配置され且つ上記内面と摺動しないものをさらに備えており、第１ロック部と、第２ロック部とが、それらの距離を近づけることによりロックし且つそれらの距離を遠ざけることによりアンロックするように構成されていることを特徴とするアーム部を見出した。
【発明の効果】
【０００８】
本開示のアーム部は、収縮時ロック機能及び摺動機能が経時で低下しにくい。
【図面の簡単な説明】
【０００９】
【図１】図１は、第１実施形態に従う第１アーム部５を備えている清掃具１の、清掃形態における斜視図である。
【図２】図２は、収納形態における清掃具１の左側面図である。
【図３】図３は、収納形態（収縮形態）から第２アーム部９を回転させた状態における、清掃具１を説明するための図である。
【図４】図４は、収縮形態における第１アーム部５を説明するための図である。
【図５】図５は、伸長形態における第１アーム部５を説明するための図である。
【図６】図６は、ロック部材２２５を説明するための図である。
【図７】図７は、第１摺動部材２２７を説明するための図である。
【図８】図８は、第１摺動部材２２７を説明するための図である。
【図９】図９は、第２摺動部材２２９を説明するための図である。
【図１０】図１０は、第３摺動部材２３１を説明するための図である。
【図１１】図１１は、第２アーム部９の左側面の断面図である。
【図１２】図１２は、第２アーム部第１筒体６０１及び第２アーム部第２筒体６０５の拡大図である。
【図１３】図１３は、スライド部７０１が初期深さ位置：Ｄ0に配置された回転部７の、図３（ｂ）のＸＩＩＩ−ＸＩＩＩ断面における断面図である。
【図１４】図１４は、スライド部７０１が切替え深さ位置：ＤCまでスライドした回転部７の、図３（ｂ）のＸＩＩＩ−ＸＩＩＩ断面に相当する断面図である。
【図１５】図１５は、スライド部７０１を構成する頂部側パーツ７２１を説明するための図である。
【図１６】図１６は、スライド部７０１を構成する底部側パーツ７２７を説明するための図である。
【図１７】図１７は、第１連結部７０７を説明するための図である。
【図１８】図１８は、第２連結部７１５を説明するための図である。
【発明を実施するための形態】
【００１０】
［用語の説明］
・「収縮形態」及び「伸長形態」
本明細書では、清掃具を構成する部材（例えば、第１アーム部及び第２アーム部）に関する「収縮形態」及び「伸長形態」は、伸縮可能な部材に対して用いられる用語である。
具体的には、「収縮形態」は、伸縮可能な部材を最収縮させた状態を意味し、「伸長形態」は、伸縮可能な部材を最伸長させた状態を意味する。
また、収縮形態は、後述の清掃具の収納形態に関連し、伸長形態は、後述の清掃具の清掃形態に関連する。
【００１１】
・清掃具に関する「収納形態」及び「清掃形態」
本明細書では、清掃具に関する「収納形態」は、清掃具を保管する際に採用される形態を意味する。一般的には、収納形態における清掃具は、清掃具の伸長しうる部分を全て収縮させ（収納形態にし）、清掃具が回転部を備える場合には、後述のアーム角度を最小にした状態にある。
本明細書では、清掃具に関する「清掃形態」は、清掃具を使用する際に採用される形態を意味する。一般的には、清掃形態における清掃具は、清掃具が回転部を備える場合には、後述のアーム角度を、清掃すべき箇所に応じて変え、清掃具の伸長しうる部分を、清掃すべき箇所に応じて伸長させた状態（伸縮可能な部材においては、伸長形態を含む）にある。なお、使用者と近い部分を清掃する場合には、清掃具の伸長しうる部分を伸長させずに使用する場合もある。
【００１２】
・清掃具に関する「正面」、「側面」及び「背面」
本明細書では、使用者が、清掃具を、清掃体取付部（清掃体）が使用者の前方を向くように把持した状態において、清掃具の使用者側を向く面（手前側の面）を正面と称し、清掃具の、使用者側を向く面と反対側の面（奥側の面）を背面と称する。側面は、正面及び背面の間の２面を意味する。
清掃具が回転部を備える場合には、上述の「正面」、「側面」及び「背面」は、清掃具を略直線状に配置した形態、そして好ましくは回転部のアーム角度θを１８０度にした形態で適用される。
第１実施形態に示される清掃具１では、図１に示されるように、互いに直交するＸ軸、Ｙ軸及びＺ軸が示されており、Ｘ軸の向かって右側が清掃具１の正面であり、Ｘ軸の向かって左側が清掃具１の背面であり、Ｙ軸の向かって奥側が、清掃具１の右側面であり、Ｙ軸の向かって手前側が、清掃具１の左側面である。
【００１３】
・「内方」及び「外方」
本明細書では、「内方」及び「外方」は、それぞれ、軸線を有する対象物において、軸線に近づく方向及び軸線から遠ざかる方向を意味する。
【００１４】
・清掃体取付部に関する「たわみ方向」
本明細書では、清掃体取付部の「たわみ方向」は、清掃体取付部の、最もたわみやすい方向を意味する。
清掃体取付部は、清掃すべき面が汚れている場合等に、清掃すべき面に押しつけられて使用される場合があり、清掃体取付部は、清掃すべき面と直交する方向にある程度たわむように構成されている。
【００１５】
・アーム部に関連して言及される「たわみ方向」
清掃体取付部がたわみ方向にたわむと、アーム部は、アーム部の軸線と直交する所定の方向にがたつきやすくなる。
本明細書では、清掃具が回転部を備えていない場合には、アーム部のがたつきに関連して言及される「たわみ方向」は、上述の清掃体取付部のたわみ方向が、そのまま適用される。アーム部ががたつきやすくなる所定の方向は、たわみ方向と同一であるためである。
【００１６】
また、本明細書では、清掃具が、把持部を備えるアーム部と、清掃体取付部との間に回転部を備えている場合には、アーム部のがたつきに関連して言及される「たわみ方向」は、回転部のアーム角度θを１８０度にした状態における、清掃体取付部のたわみ方向と同一である。なお、１８０度のアーム角度は、アーム部に関連して言及されるたわみ方向を規定するためのものであり、実際に、回転部が１８０度のアーム角度θをとりうるか否かとは無関係である。
【００１７】
回転部のアーム角度が任意の状態において清掃具を使用した場合に、清掃体取付部（及び清掃体）が、清掃すべき面に、たわみ方向に押しつけられたときには、清掃体取付部、ひいては、清掃体は、清掃すべき面から、たわみ方向と逆向きの反発力を受ける。その際、把持部を備えるアーム部は、アーム部の軸線の方向の上記反発力の分力である軸線方向分力と、アーム部の軸線と直交する方向の上記反発力の分力である直交方向分力とを受けることになる。軸線方向分力は、アーム部を伸縮させるように作用し、直交方向分力は、アーム部をがたつかせるように作用する。上記直交方向分力は、回転部のアーム角度θを１８０度にした状態における、清掃体取付部のたわみ方向と同一であることから、清掃具が、把持部を備えるアーム部と、清掃体取付部との間に回転部を備えている場合における、アーム部に関連して言及される「たわみ方向」を、上述のとおり規定する。
【００１８】
・「外面断面形状」及び「内面断面形状」
本明細書では、「外面断面形状」は、軸線及び外形を有する対象物において用いられる用語であり、「外面断面形状」は、軸線と直交する平面と、対象物の外形とが交差する部分の形状を意味する。なお、上記外面断面形状は、対象物が空隙である場合、例えば、中空部等にも用いられる。
本明細書では、「内面断面形状」は、軸線及び内形（空隙）を有する対象物において用いられる用語であり、「内面断面形状」は、軸線と直交する平面と、対象物の内形とが交差する部分の形状を意味する。
【００１９】
・「摺動機能」、「収縮時ロック機能」及び「伸長時ロック機能」
本明細書では、アーム部の隣接する筒体、例えば、第１筒体及び第２筒体を摺動させる機能を「摺動機能」と称する。また、隣接する筒体、例えば、第１筒体及び第２筒体を収縮形態でロックする機能を、「収縮時ロック機能」と称し、そして隣接する筒体、例えば、第１筒体及び第２筒体を伸長形態でロックする機能を、「伸長時ロック機能」と称する。
なお、「摺動機能」、「収縮時ロック機能」及び「伸長時ロック機能」を発揮させる機構を、それぞれ、「摺動機構」、「収縮時ロック機構」及び「伸長時ロック機構」と称する。
【００２０】
本開示は、以下の態様に関する。
［態様１］
たわみ方向を有する清掃体取付部を備える清掃具用のアーム部であって、
上記アーム部が、軸線及び周方向を備え、基端と、先端とを有し、
上記アーム部が、中空部を有し且つ内面を備えている第１筒体と、上記中空部内に挿入される第２筒体とを少なくとも備え、上記アーム部が、上記軸線の方向に伸縮可能であるように構成されており、
第１筒体が、上記基端よりの第１基端部と、上記先端よりの第１先端部とを有し、
第２筒体が、上記基端よりの第２基端部と、上記先端よりの第２先端部とを有し、
上記アーム部が、第１基端部において、第１筒体と連結しているロック部材であって、上記中空部に配置され且つ上記内面と摺動しない第１ロック部を備えているものを備え、
上記アーム部が、第２基端部において、第２筒体と連結している挿入部と、上記内面と摺動するように構成されている筒状部とを備える摺動部材を備え、
上記摺動部材が、上記筒状部に連結された第２ロック部であって、上記中空部に配置され且つ上記内面と摺動しないものをさらに備えており、
第１ロック部と、第２ロック部とが、それらの距離を近づけることによりロックし且つそれらの距離を遠ざけることによりアンロックするように構成されている、
ことを特徴とする、上記アーム部。
【００２１】
上記アーム部では、（ｉ）上記アーム部が、第１基端部において、第１筒体と連結しているロック部材であって、中空部に配置され且つ内面と摺動しない第１ロック部を備えているものを備えており、（ｉｉ）上記アーム部が、第２基端部において、第２筒体と連結している挿入部と、内面と摺動するように構成されている筒状部とを備える摺動部材を備えており、（ｉｉｉ）摺動部材が、筒状部に連結された第２ロック部であって、中空部に配置され且つ内面と摺動しないものをさらに備えており、そして（ｉｖ）第１ロック部と、第２ロック部とが、それらの距離を近づけることによりロックし且つそれらの距離を遠ざけることによりアンロックするように構成されている。
【００２２】
従って、上記アーム部では、摺動部材が、摺動機能を発揮する筒状部と、収縮時ロック機能を発揮する第２ロック部とを、異なる部材として備えているので、収縮時ロック機能及び摺動機構が、経時で低下しにくい。
【００２３】
［態様２］
第１ロック部及び第２ロック部の一方が嵌合用突起部であり、他方が嵌合用窪み部である、態様１に記載のアーム部。
【００２４】
上記アーム部では、第１ロック部及び第２ロック部の一方が、嵌合用突起部であり、他方が嵌合用窪み部であるため、アーム部を収縮させることのみで収縮時ロック機構が作動し、そしてアーム部を伸長させることのみで収縮時ロック機構が解除しやすくなり、アーム部の収縮形態を簡易に固定及び解除することができる。
【００２５】
［態様３］
上記嵌合用突起部が、一対の嵌合用突起部であって、それぞれが、上記軸線の方向に延びている延出部と、上記延出部の先端を基点として外方に突出している凸部とを有するものを備えており、そして上記嵌合用窪み部が、一対の嵌合用窪み部であって、それぞれが、外方に窪んでいる凹部を有するものを備えている、態様２に記載のアーム部。
【００２６】
上記アーム部では、嵌合用突起部及び嵌合用窪み部が所定の構造を有するため、アーム部を収縮させることのみで収縮時ロック機構が作動し、そしてアーム部を伸長させることのみで収縮時ロック機構が解除しやすくなり、アーム部の収縮形態を簡易に固定及び解除することができる。
【００２７】
［態様４］
上記筒状部が、上記たわみ方向の両側部に配置された、一対の高たわみ部と、上記たわみ方向の両端部に配置され且つ上記一対の高たわみ部よりも内方にたわみにくい、一対の低たわみ部とを備えている、態様１〜３のいずれか一項に記載のアーム部。
【００２８】
上記アーム部では、摺動部材の筒状部が、たわみ方向の両側部に配置された、一対の高たわみ部と、上記たわみ方向の両端部に配置され且つ一対の高たわみ部よりも内方にたわみにくい、一対の低たわみ部とを備えている。従って、上記アーム部を備える清掃体において、アーム部にたわみ方向の力が加わった場合であっても、一対の低たわみ部が、アーム部の、上記たわみ方向へのがたつきを抑制するがたつき抑制機能を発揮することができる。また、上記清掃体の使用時に、アーム部に上記たわみ方向の力が加わっていない場合のみならず、たわみ方向への力が加わっている場合であっても、一対の高たわみ部が、アーム部を摺動させることができる、すなわち、摺動機能を発揮させることができる。
【００２９】
［態様５］
上記筒状部が、上記一対の高たわみ部のそれぞれと、上記一対の低たわみ部のそれぞれとの間に、上記軸線の方向に延びるスリット部を備えている、態様４に記載のアーム部。
【００３０】
上記アーム部では、筒状部が、一対の高たわみ部のそれぞれと、一対の低たわみ部のそれぞれとの間に、アーム部の軸線の方向に延びるスリット部を備えているので、一対の高たわみ部のそれぞれと、一対の低たわみ部のそれぞれとが、独立して、それらの機能を発揮しやすくなる。
また、スリット部が存在することにより、筒状部が、アーム部の軸線と直交する方向の断面の形状を変化させやすくなる。従って、第１筒体が、基端側と、先端側とで内面の形状を変化させる場合、例えば、第１筒体の内面断面形状が、基端側から先端側にかけて小さくなるようなテーパーを有する場合であっても、筒状部、ひいては摺動部材が、がたつき抑制機能と、摺動機能とを発揮し続けることができる。
【００３１】
［態様６］
上記一対の高たわみ部のそれぞれが、上記周方向に延在し且つ上記内面と摺動するように構成された高たわみ部周方向延出部と、上記軸線の方向に延在し且つ上記内面と摺動するように構成された高たわみ部軸線方向延出部とを備えている、態様４又は５に記載のアーム部。
【００３２】
上記アーム部では、一対の高たわみ部のそれぞれが、高たわみ部周方向延出部と、高たわみ部軸線方向延出部とを備えているので、一対の高たわみ部、ひいては摺動部材が、摺動機能をより発揮することができる。
【００３３】
［態様７］
上記一対の低たわみ部のそれぞれが、上記周方向に延在し且つ第１筒体の上記内面と摺動するように構成された低たわみ部周方向延出部と、上記軸線の方向に延在し且つ上記内面と摺動するように構成された低たわみ部軸線方向延出部とを備えている、態様４〜６のいずれか一項に記載のアーム部。
【００３４】
上記アーム部では、一対の低たわみ部のそれぞれが、低たわみ部周方向延出部と、低たわみ部軸線方向延出部とを備えているので、一対の低たわみ部、ひいては摺動部材が、摺動機能をより発揮することができる。
【００３５】
［態様８］
第１筒体が、上記たわみ方向に長い、上記内面の断面形状を有する、態様４〜７のいずれか一項に記載のアーム部。
【００３６】
一般的に、アーム部は、清掃体取付部のたわみ方向に長い内面断面形状を有すると、アーム部が周方向に回転しにくくなる、アーム部を把持しやすくなる等の利点がある一方で、アーム部が、清掃体取付部のたわみ方向にがたつきやすくなる傾向がある。
上記アーム部では、第１筒体が、清掃体取付部のたわみ方向に長い内面断面形状を有するので、一対の低たわみ部が、第１筒体の内面の長手方向の両端部に配置され、そして一対の高たわみ部が、第１筒体の内面の短手方向の両端部に配置されることになる。従って、上記アーム部では、一対の低たわみ部が、がたつきやすい方向である上記たわみ方向に、がたつき抑制機能を発揮し、そして一対の高たわみ部が、第１筒体の内面の短手方向の両端部に対して摺動機能を発揮することができる。
【００３７】
［態様９］
第１筒体が、上記基端よりの第１基端部と、上記先端よりの第１先端部とを有し、第１先端部における第１筒体の上記内面の断面形状が、第１基端部における第１筒体の上記内面の断面形状よりも小さく、上記一対の低たわみ部が、第１基端部における第１筒体の上記内面と接しないが、第１先端部における第１筒体の上記内面と接するように構成されている、態様４〜８のいずれか一項に記載のアーム部。
【００３８】
上記アーム部では、第１先端部における第１筒体の内面断面形状が、第１基端部における第１筒体の内面断面形状よりも小さく、一対の低たわみ部のそれぞれが、第１基端部における第１筒体の内面と接しないが、第１先端部における第１筒体の内面と接するように構成されている。従って、上記アーム部では、第１筒体の内面が、アーム部の伸長形態において、がたつき抑制機能をより発揮しやすくなる。
なお、第１先端部における第１筒体の内面断面形状が、第１基端部における第１筒体の内面断面形状よりも小さい場合としては、第１筒体の内面が、第１基端部から第１先端部にかけて小さくなるテーパーを有する場合が挙げられる。
【００３９】
［態様１０］
第２ロック部が上記嵌合用突起部であり、上記嵌合用突起部が、上記一対の低たわみ部の一方又は両方を基点としている、態様４〜９のいずれか一項に記載のアーム部。
【００４０】
上記アーム部では、第２ロック部が嵌合用突起部であり、嵌合用突起部が、一対の低たわみ部の一方又は両方を基点としているので、一対の低たわみ部のたわみにくさに起因して、嵌合用突起部の位置、特に、アーム部の軸線と直交する方向の位置がずれにくく、収縮時ロック機構が確実に発動及び解除しやすくなる。
【００４１】
［態様１１］
第１筒体が、第１先端部の上記内面に、内方に突出する先端側係止部及び基端側係止部と、上記先端側係止部及び基端側係止部の間に配置された係合面とを備えており、上記アーム部が、上記筒状部と、第１筒体の上記係合面とを係合させることにより、上記アーム部の伸長形態を保持することができるように構成されている、態様１〜１０のいずれか一項に記載のアーム部。
【００４２】
上記アーム部では、第１筒体が、第１先端部の内面に、内方に突出する先端側係止部及び基端側係止部と、先端側係止部及び基端側係止部の間に配置された係合面とを備えており、第１先端部の内面に、外方に窪んでいる窪み部を備えていない。従って、上記アーム部の第１筒体は、第１筒体の第１先端部が、外方に窪んでいる窪み部を備えている場合と比較して破損しにくい。
【００４３】
本開示の、清掃具用のアーム部（以下、単に「アーム部」と称する場合がある）について、清掃具とともに、以下、詳細に説明する。
図１〜図１８は、本開示の実施形態の１つ（以下、「第１実施形態」と称する）に従うアーム部としての第１アーム部５を備えている清掃具１を説明するための図である。
【００４４】
図１は、清掃体１０１が取付けられた、清掃形態における、清掃具１の斜視図である。図２は、収納形態における、清掃具１の左側面図である。図３は、収納形態から第２アーム部９を回転させた状態における、清掃具１を示す図である。具体的には、図３（ａ）は、清掃具１の正面図であり、図３（ｂ）は、清掃具１の左側面図である。
【００４５】
清掃具１は、把持部３を有する第１アーム部５と、第２アーム部９と、第１アーム部５及び第２アーム部９を連結し且つアーム角度θを調整可能である回転部７と、第２アーム部に連結され、清掃体１０１を取付けるための清掃体取付部１１とを備えている。第１アーム部５は、第１アーム部５の、回転部７から最も遠い位置に存在する基端１５と、第１アーム部５の、回転部７から最も近い位置に存在する先端１３とを有する。
なお、アーム角度θは、第１アーム部５の第１アーム部軸線ＡＬ1と、第２アーム部９の第２アーム部軸線ＡＬ2との間の角度である。
【００４６】
清掃体取付部１１は、たわみ方向ＦＤに最もたわみやすい構造を有しており、清掃体取付部１１が、清掃すべき面を清掃するために、清掃すべき面に強く押しつけられた場合であっても、清掃体取付部１１がたわみ方向にたわむことにより、清掃すべき面を傷つけることを抑制し、清掃体取付部１１、並びに清掃具１の破損を抑制する。
なお、清掃体取付部１１は、特開２０１４−１６８６４６号に記載されるものと同様の公知の構造を有するため、説明を省略する。
【００４７】
図４は、収縮形態における第１アーム部５を説明するための図である。具体的には、図４（ａ）は、収縮形態における第１アーム部５の正面の、第１アーム部軸線ＡＬ1を通る断面図であり、図４（ｂ）は、収縮形態における第１アーム部５の左側面の、第１アーム部軸線ＡＬ1を通る断面図である。
図５は、伸長形態における第１アーム部５を説明するための図である。具体的には、図５（ａ）は、伸長形態における第１アーム部５の正面の、第１アーム部軸線ＡＬ1を通る断面図であり、図５（ｂ）は、伸長形態における第１アーム部５の左側面の、第１アーム部軸線ＡＬ1を通る断面図である。
【００４８】
第１アーム部５は、第１アーム部軸線ＡＬ1と、第１アーム部軸線ＡＬ1の周方向ＰＤとを有する。第１アーム部５は、第１筒体中空部２０２を備えている第１アーム部第１筒体２０１と、第１筒体中空部２０２に挿入された、第２筒体中空部２０４を備えている第１アーム部第２筒体２０３と、第２筒体中空部２０４に挿入された、第３筒体中空部２０６を備えている第１アーム部第３筒体２０５と、第３筒体中空部２０６に挿入された第１アーム部第４筒体２０７とを備えている。第１アーム部第４筒体２０７は、第４筒体中空部２０８を備えている。
【００４９】
なお、第１アーム部第１筒体２０１、第１筒体中空部２０２、第１アーム部第２筒体２０３、第２筒体中空部２０４、第１アーム部第３筒体２０５、第３筒体中空部２０６、第１アーム部第４筒体２０７及び第４筒体中空部２０８は、第１アーム部軸線ＡＬ1と直交する方向の断面形状が、お互いに略相似形である、たわみ方向ＦＤと平行な方向に延びる長径と、たわみ方向と直交する方向に延びる短径とを有する楕円形である。なお、第１実施形態では、Ｘ軸方向が長径の方向であり、Ｙ軸方向が短径の方向である。
【００５０】
また、第１アーム部第１筒体２０１の第１内面２４５（すなわち、第１筒体中空部２０２の外形）と、第１アーム部第２筒体２０３の第２内面２５７（すなわち、第２筒体中空部２０４の外形）と、第１アーム部第３筒体２０５の第３内面２６９（すなわち、第３筒体中空部２０６の外形）と、第１アーム部第４筒体２０７の第４内面２７９（すなわち、第４筒体中空部２０８の外形）とのそれぞれは、テーパーを有しており、基端１５から先端１３に向けて、第１アーム部軸線ＡＬ1に沿って、その内面断面形状が徐々に小さくなる構造を有している。
【００５１】
なお、第１アーム部第１筒体２０１の外面と、第１アーム部第２筒体２０３の外面と、第１アーム部第３筒体２０５の外面と、第１アーム部第４筒体２０７の外面とのそれぞれは、テーパーを有しておらず、基端１５から先端１３に向けて、第１アーム部軸線ＡＬ1に沿って、その外面断面形状が一定である構造を有している。
【００５２】
第１アーム部５は、図４に示される収縮形態から、第１アーム部第１筒体２０１と、第１アーム部第２筒体２０３と、第１アーム部第３筒体２０５と、第１アーム部第４筒体２０７とを、第１アーム部軸線ＡＬ1の方向に相対的に伸長させることにより、図５に示される伸長形態に変形することができる。
【００５３】
第１アーム部第１筒体２０１は、基端１５よりの第１基端部２０９と、先端１３よりの第１先端部２１１とを備え、第１アーム部第２筒体２０３は、基端１５よりの第２基端部２１３と、先端１３よりの第２先端部２１５とを備え、第１アーム部第３筒体２０５は、基端１５よりの第３基端部２１７と、先端１３よりの第３先端部２１９とを備え、そして第１アーム部第４筒体２０７は、基端１５よりの第４基端部２２１と、先端１３を含む第４先端部２２３とを備えている。
【００５４】
第１アーム部第１筒体２０１は、第１基端部２０９に、ロック部材２２５を備え、第１アーム部第２筒体２０３は、第２基端部２１３に、第１摺動部材２２７を備え、第１アーム部第３筒体２０５は、第３基端部２１７に、第２摺動部材２２９を備え、そして第１アーム部第４筒体２０７は、第４基端部２２１に、第３摺動部材２３１を備えている。
【００５５】
ロック部材２２５及び第１摺動部材２２７は、第１アーム部第１筒体２０１及び第１アーム部第２筒体２０３に収縮時ロック機能を付与し、第１摺動部材２２７及び第２摺動部材２２９は、第１アーム部第２筒体２０３及び第１アーム部第３筒体２０５に収縮時ロック機能を付与し、そして第２摺動部材２２９及び第３摺動部材２３１は、第１アーム部第３筒体２０５及び第１アーム部第４筒体２０７に収縮時ロック機能を付与する。
【００５６】
第１摺動部材２２７の第１筒状部３０３は、第１アーム部第１筒体２０１及び第１アーム部第２筒体２０３に摺動機能を付与し、第２摺動部材２２９の第２筒状部４０３は、第１アーム部第２筒体２０３及び第１アーム部第３筒体２０５に摺動機能を付与し、そして第３摺動部材２３１の第３筒状部５０３は、第１アーム部第３筒体２０５及び第１アーム部第４筒体２０７に摺動機能を付与する。
【００５７】
図６は、ロック部材２２５を説明するための図である。具体的には、図６（ａ）は、ロック部材２２５の左側面図であり、図６（ｂ）は、ロック部材２２５の左側面の、第１アーム部軸線ＡＬ1を通る断面図である。なお、図６（ｂ）では、理解のために、第１アーム部第１筒体２０１が波線で示されている。
【００５８】
ロック部材２２５は、清掃具１を吊り下げて保管するための吊下穴２３３と、一対の嵌合用第１窪み部２３５及び嵌合用第１窪み部２３６と、ロック部材２２５を、第１アーム部第１筒体２０１に固定するためのネジ穴２３７とを備えている。
一対の嵌合用第１窪み部２３５及び嵌合用第１窪み部２３６は、それぞれ、外方、すなわち、第１アーム部軸線ＡＬ1から遠ざかる方向に窪む凹部２４１及び凹部２４２を備えている。凹部２４１及び凹部２４２のそれぞれは、貫通孔である。
【００５９】
一対の嵌合用第１窪み部２３５及び嵌合用第１窪み部２３６は、第１ロック部として、後述する第１摺動部材２２７の第１筒状部３０３の一対の嵌合用第１突起部３２１及び嵌合用第１突起部３２２（第２ロック部）と、収縮時ロック機構を構成する。
一対の嵌合用第１窪み部２３５及び嵌合用第１窪み部２３６のそれぞれは、第１筒体中空部２０２に配置され、そして第１アーム部第１筒体２０１の第１内面２４５と摺動しない。
なお、ロック部材２２５は、図４及び図５に示されるように、ネジ穴２３７に差し込まれたネジ２３９により第１アーム部第１筒体２０１に固定されている。
【００６０】
図７及び図８は、第１摺動部材２２７を説明するための図である。具体的には、図７（ａ）は、第１摺動部材２２７の正面図であり、図７（ｂ）は、第１摺動部材２２７の左側面図であり、そして図７（ｃ）は、第１摺動部材２２７の斜視図である。また、図８は、図５（ｂ）の第１摺動部材２２７付近の拡大図であり、説明のため、第１摺動部材２２７と、第１アーム部第１筒体２０１と、第１アーム部第２筒体２０３とを、離間して示してある。
【００６１】
第１摺動部材２２７は、ロック部材２２５とともに、第１アーム部第１筒体２０１と、第１アーム部第２筒体２０３とに、収縮時ロック機能を付与する部材であり、第１挿入部３０１と、第１筒状部３０３とから構成されている。第１挿入部３０１は、第１アーム部第２筒体２０３の内面断面形状（第２筒体中空部２０４の外面断面形状）に沿う外面断面形状を有し、第１アーム部第２筒体２０３の内部に挿入され、そして第１アーム部第２筒体２０３に固定されている。
【００６２】
第１筒状部３０３は、第１アーム部軸線ＡＬ1に沿って、第１アーム部第２筒体２０３の第２基端部２１３から、第１アーム部第２筒体２０３と反対方向の外側に延出しており、第１アーム部第２筒体２０３の動きに合わせて、第１アーム部第１筒体２０１の内面と摺動可能な形状を有している。第１筒状部３０３は、第１アーム部５の収縮形態及び伸長形態の両方において、第１アーム部第１筒体２０１の内部（第１筒体中空部２０２）に配置される。
【００６３】
第１筒状部３０３は、第１筒状部３０３の軸線である第１筒状部軸線ＡＬ3と、第１筒状部軸線ＡＬ3の周方向である第１周方向ＰＤ1とを有する。なお、第１摺動部材２２７が、第１アーム部５に組み込まれた状態では、第１筒状部軸線ＡＬ3は、第１アーム部軸線ＡＬ1と同一直線上に存在し、そして第１周方向ＰＤ1は、第１アーム部５の周方向ＰＤと同一である。従って、第１摺動部材２２７が、第１アーム部５に組み込まれた状態では、第１筒状部軸線ＡＬ3及び第１周方向ＰＤ1は、それぞれ、第１アーム部軸線ＡＬ1及び周方向ＰＤと読み替えられる。
【００６４】
第１アーム部第２筒体２０３は、第２基端部２１３に、一対の第２筒体嵌合孔２４３及び第２筒体嵌合孔２４４を備えている。第１挿入部３０１は、第１アーム部第２筒体２０３の一対の第２筒体嵌合孔２４３及び第２筒体嵌合孔２４４と嵌合する、一対の第１嵌合突起３０５及び第１嵌合突起３０６を備えている。第１摺動部材２２７は、第１嵌合突起３０５及び第１嵌合突起３０６を、それぞれ、第１アーム部第２筒体２０３の第２筒体嵌合孔２４３及び第２筒体嵌合孔２４４と嵌合させることにより、第１アーム部第２筒体２０３に固定されている。
【００６５】
第１アーム部第２筒体２０３の第２基端部２１３はまた、第１筒状部３０３に形成された、第１係合用凸部３１５と隣接しており、第１筒状部３０３、ひいては第１摺動部材２２７のがたつきが抑制される。
【００６６】
第１挿入部３０１はまた、第１アーム部５、具体的には、第１アーム部第２筒体２０３及び第１アーム部第３筒体２０５が、それらの収縮形態を保持する収縮時ロック機構を作動するための、一対の嵌合用第２窪み部３２７及び嵌合用第２窪み部３２８を備えている。
【００６７】
第１筒状部３０３は、一対の第１高たわみ部３０７及び第１高たわみ部３０８と、一対の第１低たわみ部３０９及び第１低たわみ部３１０とを備えている。一対の第１高たわみ部３０７及び第１高たわみ部３０８は、たわみ方向ＦＤの両側部に配置されており、そして一対の第１低たわみ部３０９及び第１低たわみ部３１０は、たわみ方向ＦＤの両端部に配置されている。
第１筒状部３０３は、第１挿入部３０１との境界に、第１係合用凸部３１５を備えている。第１係合用凸部３１５は、第１筒状部３０３の第１周方向ＰＤ1に沿って配置されており、第１筒状部軸線ＡＬ3の外方に突出している。
【００６８】
一対の第１低たわみ部３０９及び第１低たわみ部３１０のそれぞれは、内方、すなわち、第１筒状部軸線ＡＬ3に近づく方向へのたわみ性が、一対の第１高たわみ部３０７及び第１高たわみ部３０８のそれぞれよりも低い。
【００６９】
第１筒状部３０３は、一対の第１高たわみ部３０７及び第１高たわみ部３０８と、一対の第１低たわみ部３０９及び第１低たわみ部３１０とに区画されている。一対の第１高たわみ部３０７及び第１高たわみ部３０８のそれぞれと、一対の第１低たわみ部３０９及び第１低たわみ部３１０のそれぞれとは、第１周方向ＰＤ1に交互に配置されており、一対の第１低たわみ部３０９及び第１低たわみ部３１０が、第１アーム部第１筒体２０１の楕円形の断面形状の長径方向（Ｘ軸方向）の両端に配置されており、そして一対の第１高たわみ部３０７及び第１高たわみ部３０８が、第１アーム部第１筒体２０１の楕円形の断面形状の短径方向（Ｙ軸方向）の両端に配置されている。
【００７０】
一対の第１高たわみ部３０７及び第１高たわみ部３０８のそれぞれと、一対の第１低たわみ部３０９及び第１低たわみ部３１０のそれぞれとの間には、計４本の、所定の幅を有する第１スリット部３１３が配置されている。そうすることにより、一対の第１高たわみ部３０７及び第１高たわみ部３０８のそれぞれと、一対の第１低たわみ部３０９及び第１低たわみ部３１０のそれぞれとが、独立してたわむ（たわみ度を調節する）ことができる。
【００７１】
第１高たわみ部３０７は、第１周方向ＰＤ1に延在し且つ第１内面２４５と摺動するように構成された第１高たわみ部周方向延出部３１７ａと、第１筒状部軸線ＡＬ3の方向に延在し且つ第１内面２４５と摺動するように構成された、一対の第１高たわみ部軸線方向延出部３１７ｂとを備えている。第１高たわみ部周方向延出部３１７ａ及び一対の第１高たわみ部軸線方向延出部３１７ｂのそれぞれは、第１筒状部軸線ＡＬ3の外方に突出している。一対の第１高たわみ部軸線方向延出部３１７ｂは、第１高たわみ部３０７の、第１周方向ＰＤ1の両端部に配置されている。
【００７２】
第１高たわみ部３０８は、第１周方向ＰＤ1に延在し且つ第１内面２４５と摺動するように構成された第１高たわみ部周方向延出部３１８ａと、第１筒状部軸線ＡＬ3の方向に延在し且つ第１内面２４５と摺動するように構成された、一対の第１高たわみ部軸線方向延出部３１８ｂとを備えている。第１高たわみ部周方向延出部３１８ａ及び一対の第１高たわみ部軸線方向延出部３１８ｂのそれぞれは、第１筒状部軸線ＡＬ3の外方に突出している。一対の第１高たわみ部軸線方向延出部３１８ｂは、第１高たわみ部３０８の、第１周方向ＰＤ1の両端部に配置されている。
【００７３】
第１高たわみ部周方向延出部３１７ａ及び一対の第１高たわみ部軸線方向延出部３１７ｂ、並びに第１高たわみ部周方向延出部３１８ａ及び一対の第１高たわみ部軸線方向延出部３１８ｂにより、第１高たわみ部３０７及び第１高たわみ部３０８の剛性が向上し、清掃具１が長期にわたって使用された場合であっても、第１高たわみ部３０７及び第１高たわみ部３０８が、第１アーム部第１筒体２０１の内面の形状（テーパー）の変化、第１アーム部第１筒体２０１及び第１アーム部第２筒体２０３の角度の変化等に追従して、第１筒状部３０３の摺動機能を補助する。
【００７４】
第１低たわみ部３０９は、第１周方向ＰＤ1に延在し且つ第１内面２４５と摺動するように構成された第１低たわみ部周方向延出部３１９ａと、第１筒状部軸線ＡＬ3の方向に延在し且つ第１内面２４５と摺動するように構成された、一対の第１低たわみ部軸線方向延出部３１９ｂとを備えている。第１低たわみ部周方向延出部３１９ａ及び一対の第１低たわみ部軸線方向延出部３１９ｂのそれぞれは、第１筒状部軸線ＡＬ3の外方に突出している。一対の第１低たわみ部軸線方向延出部３１９ｂは、第１周方向ＰＤ1に、所定の距離を空けて配置されている。
【００７５】
また、第１低たわみ部３１０は、第１周方向ＰＤ1に延在し且つ第１内面２４５と摺動するように構成された第１低たわみ部周方向延出部３２０ａと、第１筒状部軸線ＡＬ3の方向に延在し且つ第１内面２４５と摺動するように構成された、一対の第１低たわみ部軸線方向延出部３２０ｂとを備えている。第１低たわみ部周方向延出部３２０ａ及び一対の第１低たわみ部軸線方向延出部３２０ｂのそれぞれは、第１筒状部軸線ＡＬ3の外方に突出している。一対の第１低たわみ部軸線方向延出部３２０ｂは、第１周方向ＰＤ1に、所定の距離を空けて配置されている。
【００７６】
第１低たわみ部周方向延出部３１９ａ及び一対の第１低たわみ部軸線方向延出部３１９ｂ、並びに第１低たわみ部周方向延出部３２０ａ及び一対の第１低たわみ部軸線方向延出部３２０ｂは、第１筒状部３０３の摺動機能を補助し、そして第１アーム部第２筒体２０３が、第１アーム部第１筒体２０１に対してがたつくことを抑制する。
【００７７】
なお、第１高たわみ部周方向延出部３１７ａ及び第１高たわみ部周方向延出部３１８ａ、並びに第１低たわみ部周方向延出部３１９ａ及び第１低たわみ部周方向延出部３２０ａは、第１スリット部３１３を間に挟んで、第１周方向ＰＤ1を一周する、第１周方向延出部３１１を形成している。
【００７８】
第１実施形態では、第１アーム部５、具体的には、第１アーム部第１筒体２０１及び第１アーム部第２筒体２０３が、それらの収縮形態を保持する収縮時ロック機構を備えている。
具体的には、第１摺動部材２２７は、第２ロック部として、第１筒状部３０３に連結されている、一対の嵌合用第１突起部３２１及び嵌合用第１突起部３２２をさらに備えている。嵌合用第１突起部３２１は、第１低たわみ部３０９を基点とし、第１筒状部軸線ＡＬ3と平行に延びている第１筒状部軸線方向延出部３２３と、第１筒状部軸線方向延出部３２３の先端を基点とし、第１筒状部軸線ＡＬ3から遠ざかる方向に延びる第１凸部３２５とを備えている。
一対の嵌合用第１突起部３２１及び嵌合用第１突起部３２２のそれぞれは、第１筒体中空部２０２に配置され、そして第１アーム部第１筒体２０１の第１内面２４５と摺動しない。
【００７９】
同様に、嵌合用第１突起部３２２は、第１低たわみ部３１０を基点とし、第１筒状部軸線ＡＬ3と平行に延びている第１筒状部軸線方向延出部３２４と、第１筒状部軸線方向延出部３２４の先端を基点とし、外方、すなわち、第１筒状部軸線ＡＬ3から遠ざかる方向に延びる第１凸部３２６とを備えている。嵌合用第１突起部３２１及び嵌合用第１突起部３２２が、それぞれ、第１低たわみ部３０９及び第１低たわみ部３１０から延出することにより、第１低たわみ部３０９及び第１低たわみ部３１０の低たわみ性に起因して、嵌合用第１突起部３２１及び嵌合用第１突起部３２２の位置がずれにくく、特に、第１筒状部軸線ＡＬ3に近づく又は遠ざかる方にずれにくく、収縮時ロック機能が確実に発揮されやすくなる。
【００８０】
一対の嵌合用第１突起部３２１及び嵌合用第１突起部３２２は、ロック部材２２５の、一対の嵌合用第１窪み部２３５及び嵌合用第１窪み部２３６と、収縮時ロック機構を構成する。具体的には、一対の嵌合用第１突起部３２１及び嵌合用第１突起部３２２と、一対の嵌合用第１窪み部２３５及び嵌合用第１窪み部２３６とは、第１アーム部第１筒体２０１及び第１アーム部第２筒体２０３を相対的に近づけることにより、それらの距離が近づいて、それらがロックし、そして第１アーム部第１筒体２０１及び第１アーム部第２筒体２０３を相対的に遠ざけることにより、それらの距離が遠ざかって、それらがアンロックする。その結果、第１アーム部第１筒体２０１及び第１アーム部第２筒体２０３が収縮時ロックする。
【００８１】
第１アーム部第１筒体２０１及び第１アーム部第２筒体２０３の収縮形態では、ロック部材２２５と、第１摺動部材２２７とは、嵌合用第１突起部３２１を嵌合用第１窪み部２３５にはめ込み、そして嵌合用第１突起部３２２を、嵌合用第１窪み部２３６にはめ込むことにより、第１アーム部第１筒体２０１と、第１アーム部第２筒体２０３とをロックしている。
【００８２】
一方、第１アーム部第１筒体２０１及び第１アーム部第２筒体２０３を伸長形態にすると、すなわち、ロック部材２２５と、第１摺動部材２２７の距離を遠ざけると、嵌合用第１突起部３２１が、嵌合用第１窪み部２３５から外れ、そして嵌合用第１突起部３２２が、嵌合用第１窪み部２３６から外れるので、第１アーム部第１筒体２０１と、第１アーム部第２筒体２０３とのロックが解除する。
【００８３】
第１実施形態では、第１アーム部５、具体的には、第１アーム部第１筒体２０１及び第１アーム部第２筒体２０３が、伸長形態を保持する伸長時ロック機構を備えている。
具体的には、図８に示されるように、第１アーム部第１筒体２０１は、第１先端部２１１の第１内面２４５に、先端（図示せず）に近い順から、第１先端側係止部２４７、第１係合面２４９、第１基端側係止部２５１及び第１摺動面２５３を備えている。第１先端側係止部２４７は、内方、すなわち、第１アーム部軸線ＡＬ1に向かって突出している。また、第１基端側係止部２５１は、内方に突出しており、そして第１アーム部軸線ＡＬ1を通る平面と交差する断面形状が湾曲している。なお、第１先端側係止部２４７及び第１基端側係止部２５１のそれぞれは、理解のため、実際よりも突出の度合いが高い。
また、第１係合面２４９の第１アーム部軸線ＡＬ1の方向の長さは、第１筒状部３０３の長さ、具体的には、第１係合用凸部３１５から、第１周方向延出部３１１に至る、第１筒状部軸線ＡＬ3（第１アーム部軸線ＡＬ1）の方向の長さと略同一である。
【００８４】
第１筒状部３０３の第１係合用凸部３１５及び第１周方向延出部３１１は、第１アーム部第１筒体２０１の第１基端側係止部２５１に到達し、そこを乗り越えると、第１筒状部３０３、具体的には、第１係合用凸部３１５及び第１周方向延出部３１１が、第１アーム部第１筒体２０１の第１係合面２４９と係合するとともに、第１先端側係止部２４７及び第１基端側係止部２５１に挟まれることになる。従って、第１筒状部３０３の第１係合用凸部３１５及び第１周方向延出部３１１は、第１先端側係止部２４７と、第１基端側係止部２５１とに挟まれ且つ第１係合面２４９と係合した状態でロックされる。それにより、第１アーム部第１筒体２０１及び第１アーム部第２筒体２０３が、伸長状態でロックされる。
【００８５】
第１筒状部３０３は、第１係合用凸部３１５に加え、第１周方向延出部３１１（第１高たわみ部周方向延出部３１７ａ及び第１高たわみ部周方向延出部３１８ａ、並びに第１低たわみ部周方向延出部３１９ａ及び第１低たわみ部周方向延出部３２０ａ）と、一対の第１高たわみ部軸線方向延出部３１７ｂ及び一対の第１高たわみ部軸線方向延出部３１８ｂと、一対の第１低たわみ部軸線方向延出部３１９ｂ及び一対の第１低たわみ部軸線方向延出部３２０ｂとを備えているので、第１アーム部第１筒体２０１及び第１アーム部第２筒体２０３は、収縮形態から伸長形態に伸長させる際に、第１摺動部材２２７の第１筒状部３０３の第１周方向延出部３１１等が、第１アーム部第１筒体２０１の第１摺動面２５３と摺動し、第１アーム部第１筒体２０１及び第１アーム部第２筒体２０３を、収縮形態及び伸長形態の間の任意の位置で固定することができる。
【００８６】
図９は、第２摺動部材２２９を説明するための図である。具体的には、図９（ａ）は、第２摺動部材２２９の正面図であり、図９（ｂ）は、第２摺動部材２２９の左側面図であり、図９（ｃ）は、第２摺動部材２２９の斜視図であり、そして図９（ｄ）は、図５（ｂ）の第２摺動部材２２９付近の拡大図であり、説明のため、第２摺動部材２２９と、第１アーム部第２筒体２０３と、第１アーム部第３筒体２０５とを、離間して示してある。
【００８７】
第２摺動部材２２９は、第１アーム部第２筒体２０３と、第１アーム部第３筒体２０５との間に、収縮時ロック機能と、摺動機能とを付与する部材である。第２摺動部材２２９は、第２挿入部４０１と、第２筒状部４０３とから構成されている。第２挿入部４０１は、第１アーム部第３筒体２０５の内面断面形状（第３筒体中空部２０６の外面断面形状）に沿う外面断面形状を有し、第１アーム部第３筒体２０５の内部（第３筒体中空部２０６）に挿入され、そして第１アーム部第３筒体２０５に固定されている。
【００８８】
第２筒状部４０３は、第１アーム部軸線ＡＬ1に沿って、第１アーム部第３筒体２０５の第３基端部２１７から、第１アーム部第３筒体２０５と反対方向の外側に延出しており、第１アーム部第３筒体２０５の動きに合わせて、第１アーム部第２筒体２０３の内面と摺動しながら移動する。第２筒状部４０３は、第１アーム部５の収縮形態及び伸長形態の両方において、第１アーム部第２筒体２０３の内部（第２筒体中空部２０４）に配置される。
【００８９】
第２筒状部４０３は、第２筒状部４０３の軸線である第２筒状部軸線ＡＬ4と、第２筒状部軸線ＡＬ4の周方向である第２周方向ＰＤ2とを有する。なお、第２摺動部材２２９が、第１アーム部５に組み込まれた状態では、第２筒状部軸線ＡＬ4は、第１アーム部軸線ＡＬ1と同一直線上に存在し、そして第２周方向ＰＤ2は、第１アーム部５の周方向ＰＤと同一である。従って、第２摺動部材２２９が、第１アーム部５に組み込まれた状態では、第２筒状部軸線ＡＬ4及び第２周方向ＰＤ2は、それぞれ、第１アーム部軸線ＡＬ1及び周方向ＰＤと読み替えられる。
【００９０】
第１アーム部第３筒体２０５は、第３基端部２１７に、一対の第３筒体嵌合孔２５５及び第３筒体嵌合孔２５６を備えている。第２挿入部４０１は、第１アーム部第３筒体２０５の一対の第３筒体嵌合孔２５５及び第３筒体嵌合孔２５６と嵌合する、一対の第２嵌合突起４０５及び第２嵌合突起４０６を備えている。第２摺動部材２２９は、第２嵌合突起４０５及び第２嵌合突起４０６を、それぞれ、第１アーム部第３筒体２０５の第３筒体嵌合孔２５５及び第３筒体嵌合孔２５６と嵌合させることにより、第１アーム部第３筒体２０５に固定されている。
第１アーム部第３筒体２０５の第３基端部２１７はまた、第２筒状部４０３の、第２挿入部４０１との境界に配置された、第２係合用凸部４１５と隣接しており、第２筒状部４０３、ひいては第２摺動部材２２９のがたつきが抑制される。
【００９１】
第２挿入部４０１はまた、第１アーム部５、具体的には、第１アーム部第３筒体２０５及び第１アーム部第４筒体２０７が、それらの収縮形態を保持する収縮時ロック機構を作動するための、一対の嵌合用第３窪み部４２７及び嵌合用第３窪み部４２８を備えている。
【００９２】
第２筒状部４０３は、一対の第２高たわみ部４０７及び第２高たわみ部４０８と、一対の第２低たわみ部４０９及び第２低たわみ部４１０とを備えている。一対の第２高たわみ部４０７及び第２高たわみ部４０８は、たわみ方向ＦＤの両側部に配置されており、そして一対の第２低たわみ部４０９及び第２低たわみ部４１０は、たわみ方向ＦＤの両端部に配置されている。
【００９３】
第２筒状部４０３は、第２挿入部４０１との境界に、第２係合用凸部４１５を備えている。第２係合用凸部４１５は、第２筒状部４０３の第２周方向ＰＤ2に沿って配置されており、第２筒状部軸線ＡＬ4の外方に突出している。一対の第２高たわみ部４０７及び第２高たわみ部４０８のそれぞれと、一対の第２低たわみ部４０９及び第２低たわみ部４１０のそれぞれとの間には、第２スリット部４１３が配置されている。
【００９４】
第２高たわみ部４０７と、第２高たわみ部４０８とは、それぞれ、第２高たわみ部周方向延出部４１７ａ及び一対の第２高たわみ部軸線方向延出部４１７ｂと、第２高たわみ部周方向延出部４１８ａ及び一対の第２高たわみ部軸線方向延出部４１８ｂとを備えている。第２高たわみ部周方向延出部４１７ａ及び第２高たわみ部周方向延出部４１８ａのそれぞれは、第２周方向ＰＤ2に延在し且つ第２内面２５７と摺動するように構成されている。一対の第２高たわみ部軸線方向延出部４１７ｂ及び一対の第２高たわみ部軸線方向延出部４１８ｂのそれぞれは、第２筒状部軸線ＡＬ4の方向に延在し且つ第２内面２５７と摺動するように構成されている。第２高たわみ部周方向延出部４１７ａ及び一対の第２高たわみ部軸線方向延出部４１７ｂと、第２高たわみ部周方向延出部４１８ａ及び一対の第２高たわみ部軸線方向延出部４１８ｂとは、第２筒状部軸線ＡＬ4の外方に突出している。一対の第２高たわみ部軸線方向延出部４１７ｂは、第２高たわみ部４０７の、第２周方向ＰＤ2の両端部に配置されており、そして一対の第２高たわみ部軸線方向延出部４１８ｂは、第２高たわみ部４０８の、第２周方向ＰＤ2の両端部に配置されている。
【００９５】
第２低たわみ部４０９と、第２低たわみ部４１０とは、それぞれ、第２低たわみ部周方向延出部４１９ａ及び一対の第２低たわみ部軸線方向延出部４１９ｂと、第２低たわみ部周方向延出部４２０ａ及び一対の第２低たわみ部軸線方向延出部４２０ｂとを備えている。第２低たわみ部周方向延出部４１９ａ及び第２低たわみ部周方向延出部４２０ａのそれぞれは、第２周方向ＰＤ2に延在し且つ第２内面２５７と摺動するように構成されている。一対の第２低たわみ部軸線方向延出部４１９ｂ及び一対の第２低たわみ部軸線方向延出部４２０ｂのそれぞれは、第２筒状部軸線ＡＬ4の方向に延在し且つ第２内面２５７と摺動するように構成されている。第２低たわみ部周方向延出部４１９ａ及び一対の第２低たわみ部軸線方向延出部４１９ｂと、第２低たわみ部周方向延出部４２０ａ及び一対の第２低たわみ部軸線方向延出部４２０ｂとは、第２筒状部軸線ＡＬ4の外方に突出している。一対の第２低たわみ部軸線方向延出部４１９ｂは、第２周方向ＰＤ2に、所定の距離を空けて配置されており、そして一対の第２低たわみ部軸線方向延出部４２０ｂは、第２周方向ＰＤ2に、所定の距離を空けて配置されている。
【００９６】
なお、第２高たわみ部周方向延出部４１７ａ及び第２高たわみ部周方向延出部４１８ａ、並びに第２低たわみ部周方向延出部４１９ａ及び第２低たわみ部周方向延出部４２０ａは、第２スリット部４１３を間に挟んで、第２周方向ＰＤ2を一周する、第２周方向延出部４１１を形成している。
【００９７】
第２周方向延出部４１１、第２高たわみ部周方向延出部４１７ａ、一対の第２高たわみ部軸線方向延出部４１７ｂ、第２高たわみ部周方向延出部４１８ａ、一対の第２高たわみ部軸線方向延出部４１８ｂ、第２低たわみ部周方向延出部４１９ａ、一対の第２低たわみ部軸線方向延出部４１９ｂ、第２低たわみ部周方向延出部４２０ａ、及び一対の第２低たわみ部軸線方向延出部４２０ｂの機能は、それぞれ、第１周方向延出部３１１、第１高たわみ部周方向延出部３１７ａ、一対の第１高たわみ部軸線方向延出部３１７ｂ、第１高たわみ部周方向延出部３１８ａ、一対の第１高たわみ部軸線方向延出部３１８ｂ、第１低たわみ部周方向延出部３１９ａ、一対の第１低たわみ部軸線方向延出部３１９ｂ、第１低たわみ部周方向延出部３２０ａ、及び一対の第１低たわみ部軸線方向延出部３２０ｂと同様であるので、説明は省略する。
【００９８】
第１実施形態では、第１アーム部５、具体的には、第１アーム部第２筒体２０３及び第１アーム部第３筒体２０５が、それらの収縮形態を保持する収縮時ロック機構を備えている。
具体的には、第２摺動部材２２９は、第２ロック部として、第２筒状部４０３に連結されている、一対の嵌合用第２突起部４２１及び嵌合用第２突起部４２２をさらに備えている。嵌合用第２突起部４２１は、第２低たわみ部４０９を基点とし、第２筒状部軸線ＡＬ4と平行に延びている第２筒状部軸線方向延出部４２３と、第２筒状部軸線方向延出部４２３の先端を基点とし、第２筒状部軸線ＡＬ4の外方に突出している第２凸部４２５とを備えている。
【００９９】
同様に、嵌合用第２突起部４２２は、第２低たわみ部４１０を基点とし、第２筒状部軸線ＡＬ4と平行に延びている第２筒状部軸線方向延出部４２４と、第２筒状部軸線方向延出部４２４の先端を基点とし、第２筒状部軸線ＡＬ4の外方に突出している第２凸部４２６とを備えている。
【０１００】
一対の嵌合用第２突起部４２１及び嵌合用第２突起部４２２は、第１摺動部材２２７の第１挿入部３０１の、一対の嵌合用第２窪み部３２７及び嵌合用第２窪み部３２８と、収縮時ロック機構を構成する。具体的には、一対の嵌合用第２突起部４２１及び嵌合用第２突起部４２２と、一対の嵌合用第２窪み部３２７及び嵌合用第２窪み部３２８とは、第１アーム部第２筒体２０３及び第１アーム部第３筒体２０５を相対的に近づけることにより、それらの距離が近づいて、それらがロックし、そして第１アーム部第２筒体２０３及び第１アーム部第３筒体２０５を相対的に遠ざけることにより、それらの距離が遠ざかって、それらがアンロックする。その結果、第１アーム部第２筒体２０３及び第１アーム部第３筒体２０５が収縮時ロックする。
第２摺動部材２２９の構造は、第１摺動部材２２７と同様であり、その作用効果も同様であることから、それらの説明は省略する。
【０１０１】
第１実施形態では、第１アーム部５、具体的には、第１アーム部第２筒体２０３及び第１アーム部第３筒体２０５が、伸長形態を保持する伸長時ロック機構を備えている。
具体的には、第１アーム部第２筒体２０３は、第２先端部２１５の第２内面２５７に、先端１３に近い順から、第２先端側係止部２５９、第２係合面２６１、第２基端側係止部２６３及び第２摺動面２６５を備えている。
【０１０２】
第２先端側係止部２５９、第２係合面２６１、第２基端側係止部２６３及び第２摺動面２６５の構造は、それぞれ、第１先端側係止部２４７、第１係合面２４９、第１基端側係止部２５１及び第１摺動面２５３と同様であるので、説明を省略する。また、それら（第２先端側係止部２５９、第２係合面２６１、第２基端側係止部２６３及び第２摺動面２６５）と、第２筒状部４０３との間の関係は、第１先端側係止部２４７、第１係合面２４９、第１基端側係止部２５１及び第１摺動面２５３と、第１筒状部３０３との間の関係と同様であるため、説明を省略する。
【０１０３】
図１０は、第３摺動部材２３１を説明するための図である。具体的には、図１０（ａ）は、第３摺動部材２３１の正面図であり、図１０（ｂ）は、第３摺動部材２３１の左側面図であり、図１０（ｃ）は、第３摺動部材２３１の斜視図であり、そして図１０（ｄ）は、図５（ｂ）の第３摺動部材２３１付近の拡大図であり、説明のため、第３摺動部材２３１と、第１アーム部第３筒体２０５と、第１アーム部第４筒体２０７とを、離間して示してある。
【０１０４】
第３摺動部材２３１は、第１アーム部第３筒体２０５と、第１アーム部第４筒体２０７との間に、収縮時ロック機能と、摺動機能とを付与する部材である。第３摺動部材２３１は、第３挿入部５０１と、第３筒状部５０３とから構成されている。
【０１０５】
第３筒状部５０３は、第３筒状部５０３の軸線である第３筒状部軸線ＡＬ5と、第３筒状部軸線ＡＬ5の周方向である第３周方向ＰＤ3とを備えている。なお、第３摺動部材２３１が、第１アーム部５に組み込まれた状態では、第３筒状部軸線ＡＬ5は、第１アーム部軸線ＡＬ1と同一直線上に存在し、第３周方向ＰＤ3は、第１アーム部５の周方向ＰＤと同一である。従って、第３摺動部材２３１が、第１アーム部５に組み込まれた状態では、第３筒状部軸線ＡＬ5及び第３周方向ＰＤ3は、それぞれ、第１アーム部軸線ＡＬ1及び周方向ＰＤと読み替えられる。
【０１０６】
第３挿入部５０１は、一対の第３嵌合突起５０５及び第３嵌合突起５０６を備えている。第３挿入部５０１は、嵌合用第３窪み部４２７及び嵌合用第３窪み部４２８に相当する構造を有しない以外は、第２挿入部４０１と同様の構造を有するため、説明を省略する。
【０１０７】
第３筒状部５０３は、一対の第３高たわみ部５０７及び第３高たわみ部５０８、一対の第３低たわみ部５０９及び第３低たわみ部５１０、第３周方向延出部５１１、第３スリット部５１３、第３係合用凸部５１５、第３高たわみ部周方向延出部５１７ａ、第３高たわみ部軸線方向延出部５１７ｂ、第３高たわみ部周方向延出部５１８ａ、第３高たわみ部軸線方向延出部５１８ｂ、第３低たわみ部周方向延出部５１９ａ、第３低たわみ部軸線方向延出部５１９ｂ、第３低たわみ部周方向延出部５２０ａ、第３低たわみ部軸線方向延出部５２０ｂ、嵌合用第３突起部５２１、嵌合用第３突起部５２２、第３筒状部軸線方向延出部５２３、第３筒状部軸線方向延出部５２４、第３凸部５２５、及び第３凸部５２６を備えている。
【０１０８】
第３筒状部５０３は、第３高たわみ部軸線方向延出部５１７ｂ、第３高たわみ部軸線方向延出部５１８ｂ、第３低たわみ部軸線方向延出部５１９ｂ及び第３低たわみ部軸線方向延出部５２０ｂのそれぞれが、第１アーム部第３筒体２０５の第３内面２６９と摺動する面積を確保する観点から、第３筒状部軸線ＡＬ5の方向と、第３周方向ＰＤ3とに延在する単一の構造を有している。それ以外の点については、第３筒状部５０３は、第２筒状部４０３と同様の構造を有するので説明を省略する。
【０１０９】
第１アーム部第４筒体２０７は、第４基端部２２１に、一対の第４筒体嵌合孔２６７及び第４筒体嵌合孔２６８を備えているが、それらは第１アーム部第３筒体２０５の一対の第３筒体嵌合孔２５５及び第３筒体嵌合孔２５６と同様の構造であるため、説明を省略する。
【０１１０】
第１アーム部第３筒体２０５は、第３先端部２１９の第３内面２６９に、第３先端側係止部２７１、第３係合面２７３、第３基端側係止部２７５及び第３摺動面２７７を備えており、それらの構造は、それぞれ、第１アーム部第２筒体２０３の第２先端側係止部２５９、第２係合面２６１、第２基端側係止部２６３及び第２摺動面２６５と同様であるので、説明を省略する。また、それらと、第３筒状部５０３との間の関係は、第１アーム部第２筒体２０３の第２先端側係止部２５９、第２係合面２６１、第２基端側係止部２６３、及び第２摺動面２６５と、第２筒状部４０３との間の関係と同様であるので、説明を省略する。
【０１１１】
上述のように、第１摺動部材２２７、第２摺動部材２２９及び第３摺動部材２３１のそれぞれが、（ｉ）収縮時ロック機構及び（ｉｉ）摺動機構を備えているとともに、（ｉｉｉ）伸長時ロック機構（第１アーム部第１筒体２０１、第１アーム部第２筒体２０３及び第１アーム部第３筒体２０５と一緒になって作動する）を備えているため、第１アーム部５は、その全体として、（ｉ）収縮時ロック機能、（ｉｉ）摺動機能及び（ｉｉｉ）伸長時ロック機能を有している。従って、第１アーム部５は、収縮形態から伸長形態の任意の長さで固定されうる。
【０１１２】
図１１は、第２アーム部９の断面図である。具体的には、図１１（ａ）は、収縮形態における、第２アーム部９の左側面の、第２アーム部軸線ＡＬ2を通る断面図であり、図１１（ｂ）は、伸長形態における、第２アーム部９の左側面の、第２アーム部軸線ＡＬ2を通る断面図である。
【０１１３】
図１１（ａ）及び図１１（ｂ）に示されるように、第２アーム部９は、中空部６０３を有する第２アーム部第１筒体６０１と、収縮形態における第２アーム部９において、中空部６０３内に挿入される第２アーム部第２筒体６０５とを備えている。第２アーム部第１筒体６０１は、清掃体取付部１１に連結されており、そして第２アーム部第２筒体６０５は、回転部連結体６１３に連結されている。第２アーム部９は、第２アーム部第１筒体６０１及び第２アーム部第２筒体６０５を相対的に移動させることにより、第２アーム部９の軸線である第２アーム部軸線ＡＬ2の方向に伸縮可能であり、図１１（ａ）に示される収縮形態と、図１１（ｂ）に示される伸長形態とをとることができる。
【０１１４】
第２アーム部第１筒体６０１は、回転部７よりの第２アーム部第１基端部６１５と、清掃体取付部１１よりの第２アーム部第１先端部６１７とを備えている。また、第２アーム部第２筒体６０５は、回転部７よりの第２アーム部第２基端部６１９と、清掃体取付部１１よりの第２アーム部第２先端部６２１とを備えている。
【０１１５】
図１２は、第２アーム部第１筒体６０１及び第２アーム部第２筒体６０５の拡大図（左側面，第２アーム部軸線ＡＬ2を通る断面図）である。具体的には、図１２（ａ）は、第２アーム部第１筒体６０１の第２アーム部第１基端部６１５付近の拡大図（左側面，第２アーム部軸線ＡＬ2を通る断面図）であり、図１２（ｂ）は、第２アーム部第２筒体６０５の第２アーム部第２先端部６２１付近の拡大図（左側面，第２アーム部軸線ＡＬ2を通る断面図）である。第２アーム部第１筒体６０１は、第２アーム部第１基端部６１５の内面に、はめ込み部材６０７を有しており、第２アーム部第１筒体６０１は、はめ込み部材６０７よりも第２アーム部第１先端部６１７よりに、一対の嵌合用第４窪み部６０９及び嵌合用第４窪み部６１０を備えている。第２アーム部第２筒体６０５は、第２アーム部第２先端部６２１に、一対の嵌合用第４突起部６１１及び嵌合用第４突起部６１２を備えている。
【０１１６】
第２アーム部９は、伸長形態において、第２アーム部第２筒体６０５の嵌合用第４突起部６１１及び嵌合用第４突起部６１２が、それぞれ、第２アーム部第１筒体６０１の嵌合用第４窪み部６０９及び嵌合用第４窪み部６１０と嵌合することにより伸長形態を保持するロック機構を備えている。なお、嵌合用第４突起部６１１及び嵌合用第４突起部６１２のそれぞれは、その両側（図１２（ｂ）では、手前及び奥）にスリット（図示せず）を有しており、嵌合用第４突起部６１１及び嵌合用第４突起部６１２のそれぞれが、内方にたわむことができる。
【０１１７】
回転部連結体６１３は、収納形態における清掃具１において、第１アーム部５と、第２アーム部９（の第２アーム部第１筒体６０１及び第２アーム部第２筒体６０５）とが平行になるように、換言すると、アーム角度（図示せず）が略０度となるように、湾曲した形状を有している。
【０１１８】
図１３〜図１８は、回転部７を説明するための図である。具体的には、図１３は、スライド部７０１が初期深さ位置：ＤOに配置されている回転部７の、図３（ｂ）のＸＩＩＩ−ＸＩＩＩ断面における断面図である。図１４は、スライド部７０１を切替え深さ位置：ＤCまでスライドさせた回転部７の、図３（ｂ）のＸＩＩＩ−ＸＩＩＩ断面に相当する断面図である。
図１５は、スライド部７０１を構成する頂部側パーツ７２１を説明するための図である。具体的には、図１５（ａ）〜図１５（ｄ）は、頂部側パーツ７２１を、図３のＸＩＩＩ−ＸＩＩＩ断面の参照方向と同一方向から参照した場合における、図１５（ａ）平面図、図１５（ｂ）正面から参照した断面図、図１５（ｃ）底面図、及び図１５（ｄ）左側面の断面図である。
【０１１９】
図１６は、スライド部７０１を構成する底部側パーツ７２７を説明するための図である。具体的には、図１６（ａ）〜図１６（ｄ）は、底部側パーツ７２７を、図３のＸＩＩＩ−ＸＩＩＩ断面の参照方向と同一方向から参照した場合における、図１６（ａ）平面図、図１６（ｂ）正面から参照した断面図、図１６（ｃ）底面図、及び図１６（ｄ）右側面の断面図である。
【０１２０】
図１７は、第１連結部７０７を説明するための図である。具体的には、図１７（ａ）〜図１７（ｃ）は、第１連結部７０７を、図３のＸＩＩＩ−ＸＩＩＩ断面の参照方向と同一方向から参照した場合における、図１７（ａ）断面図、図１７（ｂ）正面図、及び図１７（ｃ）断面図である。なお、図１７（ａ）は、図１７（ｂ）のＸＶＩＩ（ａ）−ＸＶＩＩ（ａ）断面における断面図であり、そして図１７（ｃ）は、図１７（ｂ）のＸＶＩＩ（ｃ）−ＸＶＩＩ（ｃ）断面における断面図である。
【０１２１】
図１８は、第２連結部７１５を説明するための図である。具体的には、図１８（ａ）〜図１８（ｃ）は、第２連結部７１５を、図３のＸＩＩＩ−ＸＩＩＩ断面の参照方向と同一方向から参照した場合における、図１８（ａ）頂面図、図１８（ｂ）正面から参照した断面図、及び図１８（ｃ）底面図である。
【０１２２】
回転部７は、第１アーム部５及び第２アーム部９（回転部連結体６１３）を連結し且つアーム角度θを調整可能である。回転部７は、回転軸線ＲＡと、回転軸線ＲＡに沿って回転する回転方向ＲＤとを有する。回転部７は、頂部７０３及び底部７０５を有するスライド部７０１と、第２アーム部９と連結している２つの第１連結部７０７であって、それぞれが、第１軸孔７０９を備えるものと、第１アーム部５と連結している第２連結部７１５であって、第２軸孔７１７を備えるものとを備えている。第１軸孔７０９及び第２軸孔７１７のそれぞれは、回転軸線ＲＡと直交する方向の断面の形状が、回転軸線ＲＡを中心とする円形である。
【０１２３】
２つの第１連結部７０７は、２つの第１連結部７０７及び第２連結部７１５のうち、最も浅い深さ位置に配置された頂部側第１連結部７１１と、最も深い深さ位置に配置された底部側第１連結部７１３とから構成される。
【０１２４】
スライド部７０１は、頂部７０３及び底部７０５に加え、頂部７０３及び底部７０５を連結する連結軸７１９とを備えている。
スライド部７０１は、頂部７０３、頂部側筒状部７２３及び嵌合用突起７２５を備える頂部側パーツ７２１と、底部７０５、底部側筒状部７２９及び嵌合用窪み７３１を備える底部側パーツ７２７とから形成されている。
【０１２５】
回転部７は、頂部側パーツ７２１の頂部側筒状部７２３を頂部７０３側から、底部側パーツ７２７の底部側筒状部７２９を底部７０５側から、底部側第１連結部７１３の第１軸孔７０９と、第２連結部の第２軸孔７１７と、頂部側第１連結部７１１の第１軸孔７０９と、圧縮コイルバネ７３３の中空部分とに通し、頂部側パーツ７２１の、一対の嵌合用突起７２５を、底部側パーツ７２７の、一対の嵌合用窪み７３１と嵌合させることにより形成されている。スライド部７０１の連結軸７１９は、頂部側パーツ７２１の頂部側筒状部７２３と、底部側パーツ７２７の底部側筒状部７２９とから構成されている。
【０１２６】
図１３に示される、初期深さ位置：Ｄ0に配置されているスライド部７０１は、使用者が、スライド部７０１の頂部７０３を、切替え深さ位置：ＤCまで押し込むと、図１４に示される、切替え深さ位置：ＤCまでスライドしたスライド部７０１を形成し、そして図１４に示される、切替え深さ位置：ＤCまでスライドしたスライド部７０１は、使用者がスライド部７０１の頂部７０３の押込みを解除すると、スライド部７０１が、圧縮コイルバネ７３３の復元力により、初期深さ位置：Ｄ0に戻る。
【０１２７】
スライド部７０１は、連結軸７１９の外周に、４本の回転制御用突起７３５を備えている。４本の回転制御用突起７３５のそれぞれは、回転軸線ＲＡに沿って、底部７０５を基点として頂部７０３に向かって延びており、そして回転方向ＲＤに、９０°間隔で配置されている。４本の回転制御用突起７３５のそれぞれは、回転軸線ＲＡと直交する方向の断面形状が、頂点が回転軸線ＲＡの外方を向いている略三角形である。
図１６に示されるように、４本の回転制御用突起７３５は、スライド部７０１を構成する底部側パーツ７２７の底部側筒状部７２９の外周に形成されている。
【０１２８】
図１７に示されるように、底部側第１連結部７１３は、第１軸孔７０９の外周に、回転制御用突起７３５と噛み合う、４個の固定用窪み７３７を備えている。４個の固定用窪み７３７のそれぞれは、回転方向ＲＤに、９０°間隔で配置されている。４個の固定用窪み７３７のそれぞれは、回転軸線ＲＡと直交する方向の断面形状が、頂点が回転軸線ＲＡの外方を向いている略三角形であり、４本の回転制御用突起７３５のそれぞれの略三角形の断面形状と略同一である。
なお、図１７に示されるように、頂部側第１連結部７１１は、第１軸孔７０９に、固定用窪みを備えていない。
【０１２９】
図１８に示されるように、第２連結部７１５は、第２軸孔７１７の外周に、８個の回転制御用窪み７３９を備えている。８個の回転制御用窪み７３９のそれぞれは、回転方向ＲＤに４５°間隔で配置されている。８個の回転制御用窪み７３９のそれぞれは、底部側第１連結部７１３と接する側の面７１６ａを基点とし、回転軸線ＲＡに沿って延びており、頂部側第１連結部７１１と接する側の面７１６ｂまでは到達していない。８個の回転制御用窪み７３９のそれぞれの、回転軸線ＲＡと直交する方向の断面形状は、頂点が回転軸線ＲＡの外方を向いている略三角形であり、４個の回転制御用突起７３５のそれぞれの略三角形の断面形状と略同一である。
【０１３０】
スライド部７０１が、図１３に示されるように、初期深さ位置：Ｄ0に配置されている場合には、スライド部７０１の４個の回転制御用突起７３５のそれぞれが、底部側第１連結部７１３の４個の固定用窪み７３７のそれぞれと噛合い、そしてスライド部７０１の４個の回転制御用突起７３５のそれぞれが、第２連結部７１５の８個の回転制御用窪み７３９のうち４個と噛み合っているので、アーム角度θは調整不可能である。
【０１３１】
一方、スライド部７０１を、切替え深さ位置：ＤCまでスライドさせると、図１４に示されるように、スライド部７０１の４個の回転制御用突起７３５のそれぞれもスライドし、スライド部７０１の４個の回転制御用突起７３５のそれぞれが、第２連結部７１５の４個の回転制御用窪み７３９のそれぞれと噛み合わなくなるが、底部側第１連結部７１３の４個の固定用窪み７３７のそれぞれと噛み合っている状態となる。その結果、スライド部７０１と、第１連結部７０７（頂部側第１連結部７１１及び底部側第１連結部７１３）を介して連結している第２アーム部９は、スライド部７０１に対して回転することができないが、スライド部７０１に第２連結部７１５を介して連結している第１アーム部５は、スライド部７０１に対して回転することができるようになり、アーム角度θが可変となる。
なお、スライド部７０１は、切替え深さ位置：ＤCを超え、最大深さ位置（図示せず）までスライドさせることができる。
【０１３２】
スライド部７０１は、切替え深さ位置：ＤC、並びに最大深さ位置（図示せず）までスライドさせても、底部側第１連結部７１３の４個の固定用窪み７３７のそれぞれと噛み合っているので、アーム角度θを変える場合には、スライド部７０１は、第２アーム部９と一緒に回転することとなる。
【０１３３】
使用者が、アーム角度θの調整を終えて、スライド部７０１の頂部７０３の押込みを解除すると、スライド部７０１が初期深さ位置：Ｄ0に戻り、その際に、スライド部７０１の４個の回転制御用突起７３５のそれぞれが、底部側第１連結部７１３の４個の固定用窪み７３７のそれぞれと噛合い、そしてスライド部７０１の４個の回転制御用突起７３５のそれぞれが、第２連結部７１５の８個の回転制御用窪み７３９のうち、回転前とは異なる４個の回転制御用窪み７３９と噛み合い、アーム角度θが調整不可能となる。
第２連結部７１５は、回転制御用窪み７３９を４５°間隔で有するため、アーム角度θは、４５°間隔で調整可能である。
【０１３４】
頂部側第１連結部７１１は、その最も浅い深さ位置に、使用者がスライド部７０１の頂部７０３を押し込む際に触れる可能性のある部分である、頂部側把持部７４１を備えている。また、底部側第１連結部７１３は、その最も深い深さ位置に、使用者がスライド部７０１をスライドさせる際に触れる可能性のある部分である、底部側把持部７４３を備えている。頂部側把持部７４１及び底部側把持部７４３のそれぞれは、回転方向ＲＤに一周している。
【０１３５】
図１３に示されるように、初期深さ位置：Ｄ0に配置されているスライド部７０１では、底部７０５が、深さ方向ＤＤにおいて、底部側第１連結部７１３の底部側把持部７４３よりも、スライド部７０１の切替え深さ位置：ＤCよりも大きな長さ：Ｌ0だけ浅い深さ位置に配置されるように構成されている。従って、図１４に示されるように、スライド部７０１を切替え深さ位置：ＤCまでスライドさせると、底部７０５が、底部側第１連結部７１３の底部側把持部７４３よりも、深さ方向ＤＤにおいて、長さ：Ｌ1だけ浅い深さ位置に配置されることとなる。そうすることにより、使用者は、スライド部７０１を、あたかも、押し込むように操作することができる。また、使用者が、スライド部７０１の頂部７０３を、スライド部７０１の切替え深さ位置：ＤCまでスライドさせた場合でも、底部７０５側に添えた指が、底部７０５から押し出されにくい。
【０１３６】
また、回転部７は、深さ方向ＤＤにおいて、底部７０５より深さの深い領域に、回転部７を構成する部材、特に、スライド部７０１とともにスライドしない部材を備えていない。そうすることにより、回転部７の構造が単純であるにもかかわらず、スライド部７０１を、あたかも、押し込むように操作することができる。
【０１３７】
スライド部７０１の頂部７０３は、頂部７０３の周縁に配置された周縁部７４５と、周縁部７４５に囲まれた突出部７４７とを備えている。突出部７４７は、周縁部１４５よりも、底部１０５と反対側に、高さＨだけ突出している。換言すると、突出部７４７は、深さ方向ＤＤにおいて、周縁部７４５よりも、高さＨ分だけ浅い深さ位置に配置されている。
【０１３８】
また、頂部側把持部７４１は、深さ方向ＤＤにおいて、初期深さ位置：Ｄ0に配置されたスライド部７０１の周縁部７４５と同一の深さ位置に配置されているので、頂部側把持部７４１は、深さ方向ＤＤにおいて、初期深さ位置：Ｄ0におけるスライド部７０１の突出部７４７の位置よりも、高さＨ分だけ深い深さ位置に配置されるように構成されている。そうすることにより、使用者が、頂部側把持部７４１の影響を受けずに、スライド部７０１の突出部７４７を押し込みやすくなる。また、使用者が、スライド部７０１の頂部７０３を押し込む際に、使用者の指が、頂部側把持部７４１と、スライド部７０１の周縁部７４５との間に巻き込まれにくくなる。
【０１３９】
上述のように、第１連結部７０７（頂部側第１連結部７１１及び底部側第１連結部７１３）が、第２アーム部９と連結されており、そして第２連結部７１５が、第１アーム部５と連結されている。そうすることにより、使用者が、例えば、左手の親指の指先をスライド部７０１の頂部７０３及び頂部側把持部７４１に添え、左手の人差し指を底部側把持部７４３に添え、左手の残りの部分で第２アーム部９を把持した際に、スライド部７０１の頂部７０３、頂部側把持部７４１及び底部側把持部７４３が、第２アーム部９、ひいては左手とともに回転するので、左手の親指及び人差し指が、スライド部７０１の頂部７０３、頂部側把持部７４１及び底部側把持部７４３との間で摩擦を受けにくい。
【０１４０】
第１実施形態では、第１アーム部５は、４本の筒体を備えていたが、本開示のアーム部は、少なくとも２本の筒体（第１筒体及び第２筒体）を備え、第２筒体が第１筒体に収納されることにより、アーム部が伸縮可能であれば、筒体の合計本数は、特に制限されない。
文字式を用いると、本開示のアーム部は、伸縮可能なｎ本（ｎは、２以上の整数である）の筒体を備えることができる。ｎ本の筒体のうち、最も外側のものから順番に、第１筒体，第２筒体，・・・，と称する。なお、ｎの上限は、清掃具用のアーム部としての観点から、好ましくは６、より好ましくは５、そしてさらに好ましくは４である。
ｎ本の筒体の内、ｋ番目の筒体を、「第ｋ筒体」と称する。また、第ｋ筒体の基端部を「第ｋ基端部」と称し、第ｋ基端部に配置された摺動部材を「第（ｋ−１）摺動部材」と称し、第（ｋ−１）摺動部材の筒状部を、「第（ｋ−１）筒状部」と称する。
【０１４１】
本開示のアーム部が２本（ｎ＝２）の筒体を備えている場合には、１番目（ｋ＝１）の筒体である第１筒体が、第１基端部において、第１ロック部を備えるロック部材を備え、２番目（ｋ＝２）の筒体である第２筒体が、第２基端部における第１摺動部材に、第２ロック部を備え、第１ロック部及び第２ロック部をロックさせることにより、収縮時ロック機能を発揮することが好ましい。
【０１４２】
本開示のアーム部が３本以上（３≦ｎ）の筒体を備えている場合には、ｋ番目の筒体である第ｋ筒体の第ｋ基端部に配置された第（ｋ−１）摺動部材と、（ｋ＋１）番目の筒体である第（ｋ＋１）筒体の第（ｋ＋１）基端部に配置された第ｋ摺動部材とが、お互いにロック可能な、一対のロック部を備えていることが好ましい（ｋは、２以上且つ（ｎ−１）以下の整数である）。アーム部全体として、収縮時ロック機能を発揮することができるからである。
なお、第ｋ摺動部材は、第（ｋ−１）摺動部材（又は第１ロック部）とロックするロック部と、第（ｋ＋１）摺動部材とロックするロック部との両方を備えることができる。
【０１４３】
第１実施形態では、第１ロック部として、一対の嵌合用第１窪み部２３５及び嵌合用第１窪み部２３６が示され、そして第２ロック部として、一対の嵌合用第１突起部３２１及び嵌合用第１突起部３２２が示されているが、本開示のアーム部では、第１ロック部及び第２ロック部の構造は、第１ロック部と、第２ロック部とが、それらの距離を近づけることによりロックし、それらの距離を遠ざけることによりアンロックする収縮時ロック機構を備えるものであれば特に制限されず、当技術分野で公知の構造が採用されうる。上述の一対のロック部も同様である。
【０１４４】
本開示のアーム部では、第１ロック部及び第２ロック部の一方が嵌合用突起部であり、他方が嵌合用窪み部であることが好ましい。また、上記嵌合用突起部と、嵌合用窪み部とは、それらの距離を近づけることによりロックし且つそれらの距離を遠ざけることによりアンロックするように構成されていることが好ましい。アーム部を収縮させることのみで収縮時ロック機構が作動し、そしてアーム部を伸長させることのみで収縮時ロック機構が解除しやすくなり、ひいてはアーム部の収縮形態を簡易に固定及び解除する観点からである。上述の一対のロック部においても、一方が嵌合用突起部であり、他方が嵌合用窪み部であることが好ましい。
【０１４５】
第２ロック部が嵌合用突起部であり、嵌合用突起部の基点が低たわみ部であることが好ましい。低たわみ部の低たわみ性に起因して、嵌合用突起部の位置がずれにくく、特に、筒状部軸線に近づく方向又は遠ざかる方向にずれにくく、収縮時ロック機能が確実に発揮しやすくなる観点からである。
【０１４６】
上記嵌合用突起部が、一対の嵌合用突起部であって、それぞれが、アーム部の軸線の方向に延びている延出部と、延出部の先端から外方に突出している凸部とを備え、そして嵌合用窪み部が、一対の嵌合用窪み部であって、それぞれが、外方に窪んでいる凹部を備えているものであることが好ましい。また、凸部と、凹部とは、それらの距離を近づけることによりロックし且つそれらの距離を遠ざけることによりアンロックするように構成されていることが好ましい。アーム部の収縮形態を簡易に固定及び解除する観点からである。
【０１４７】
本開示のアーム部は、摺動機構を備えている。それにより、本開示のアーム部を、任意の長さで固定することができる。上記摺動機構としては、当技術分野で公知の機構が採用されうる。
【０１４８】
上記文字式を用いると、本開示のアーム部が、２本（ｎ＝２）の筒体を備えている場合には、第２筒体（ｋ＝２）に連結している第１摺動部材は、２番目（ｋ＝２）の筒体である第２筒体と連結し、１番目（ｋ＝１）の筒体である第１筒体の内面に沿って摺動するように構成され、第１筒体と、第２筒体とに摺動機能を付与する。
本開示のアーム部が、３本以上（３≦ｎ）の筒体を備えている場合には、第（ｋ＋１）筒体が、第ｋ摺動部材を備えていることが好ましい（ｋは、１以上且つ（ｎ−１）以下の整数である）。アーム部全体として、摺動機能を発揮することができるからである。
【０１４９】
本開示のアーム部では、第ｋ摺動部材が、第ｋ筒体の内面に沿う第ｋ筒状部であって、第ｋ筒状部軸線と第ｋ周方向とを有するものを備えることが好ましく、第ｋ筒状部は、内方にたわみやすい、一対の第ｋ高たわみ部と、一対の第ｋ高たわみ部よりも内方にたわみにくい一対の第ｋ低たわみ部とを備えていることが好ましい。
【０１５０】
第ｋ筒状部は、一対の第ｋ高たわみ部のそれぞれと、一対の第ｋ低たわみ部のそれぞれとの間に、計４本の、所定の幅を有する第ｋスリット部を備えていることが好ましい。一対の第ｋ高たわみ部のそれぞれと、一対の第ｋ低たわみ部のそれぞれとが、独立して、それらの機能を発揮しやすくなるからである。また、筒状部が、アーム部の軸線と直交する方向の断面の形状を変化させやすくなるからである。
なお、本開示の別の実施形態では、第ｋ筒状部は、一対の第ｋ高たわみ部のそれぞれと、一対の第ｋ低たわみ部のそれぞれとの間に、計４本の第ｋスリット部の代わりに、第ｋ筒状部を構成する素材の厚さの薄い部分、ゴム等を備えていてもよい。
【０１５１】
また、第ｋ筒体は、製造の観点から、その外面断面形状及び／又は内面断面形状が、第ｋ筒体軸線方向に沿って変化する場合がある、例えば、第１筒体では、第１基端部から第１先端部にかけてその内面断面形状が徐々に小さくなる（テーパーを有する）場合がある。第ｋ摺動部材の第ｋ筒状部が第ｋスリット部を備えることにより、第ｋ筒状部が、第ｋ筒状部軸線と直交する方向の断面形状を変化させることができるので、第ｋ筒体がテーパーを有する場合であっても、第ｋ摺動部材が摺動機能を発揮することができる。
また、第ｋスリット部が延びる方向は、特に制限されないが、第ｋ筒状部が、第ｋ筒状部軸線と直交する方向の断面形状を変化させる観点からは、第ｋ筒状部軸線の方向に延びることが好ましい。
【０１５２】
一対の第ｋ高たわみ部は、清掃体取付部のたわみ方向の両側部に配置されることが好ましく、そして一対の第ｋ低たわみ部は、清掃体取付部のたわみ方向の両端部に配置されることが好ましい。
【０１５３】
第ｋ筒体の、アーム部軸線の方向と直交する方向の断面形状（内面断面形状、外面断面形状）は任意であり、例えば、円形、長径及び短径を有する楕円形等が挙げられる。
第ｋ筒体の上記断面形状が楕円形である場合には、第ｋ高たわみ部が、第ｋ筒体の短径の方向の両端に配置されており、第ｋ低たわみ部が、第ｋ筒体の長径の方向の両端に配置されていることが好ましい。第（ｋ＋１）筒体が、第ｋ筒体に対して、がたつきにくくなり、そして第ｋ周方向に回転しにくくなるからである。また、第ｋ高たわみ部が、第ｋ低たわみ部よりも第ｋ筒体の内面と平面に近い状況で接することができるので、第ｋ高たわみ部が、摺動機能をより発揮しやすくなるからである。
【０１５４】
一対の第ｋ低たわみ部のそれぞれは、第ｋ周方向に延在し且つ第ｋ筒体の内面と摺動するように構成された第ｋ低たわみ部周方向延出部と、第ｋ筒体軸線の方向に延在し且つ第ｋ筒体の内面と摺動するように構成された第ｋ低たわみ部軸線方向延出部との一方を備えていることが好ましく、そして両方を備えていることがより好ましい。一対の第ｋ低たわみ部、ひいては摺動部材が、摺動機能をより発揮することができるからである。
【０１５５】
一対の第ｋ高たわみ部のそれぞれは、第ｋ周方向に延在し且つ第ｋ筒体の内面と摺動するように構成された第ｋ高たわみ部周方向延出部と、第ｋ筒体軸線の方向に延在し且つ第ｋ筒体の内面と摺動するように構成された第ｋ高たわみ部軸線方向延出部との一方を備えていることが好ましく、そして両方を備えていることがより好ましい。一対の第ｋ高たわみ部、ひいては摺動部材が、摺動機能をより発揮することができるからである。
【０１５６】
本開示のアーム部は、伸長形態を保持する伸長時ロック機構を備えることが好ましい。清掃具を伸長状態で使用している場合に、清掃具の清掃体が壁等にぶつかって、意図せず、アーム部が収縮することを抑制することができるからである。
上記伸長時ロック機構は、第１筒体が、第１先端部の内面に、内方に突出する先端側係止部及び基端側係止部と、上記先端側係止部及び基端側係止部の間に配置された係合面を備えており、上記アーム部が、上記筒状部と、第１筒体の上記係合面とを係合させるように構成されていることにより発現することが好ましい。アーム部を伸長させることのみで伸長時ロック機構が作動し、そしてアーム部を収縮させることのみで伸長時ロック機構が解除する。従って、アーム部の伸長状態を簡易に固定及び解除することができるからである。
【０１５７】
本開示のアーム部では、ロック部材の素材は、例えば、プラスチック、例えば、ポリアセタール系樹脂、ナイロン系樹脂等であることができ、プラスチックであることが好ましい。アーム部を摩耗させにくい観点からである。
本開示の清掃具では、アーム部の素材は、例えば、金属、プラスチック、例えば、ポリアセタール系樹脂、ＡＢＳ系樹脂、ポリオレフィン系樹脂（例えば、ポリプロピレン樹脂、ポリエチレン樹脂）、ポリカーボネート系樹脂、ポリエステル系樹脂（例えば、ポリエチレンテレフタラート系樹脂、ポリブチレンテレフタラート系樹脂）、アクリル系樹脂（例えば、ポリメチルメタクリラート系樹脂、ポリスチレン系樹脂）、並びにそれらの任意の組み合わせであることができる。
アーム部の素材と、ロック部材の素材とは、同一であっても、そして異なっていてもよい。
【０１５８】
第１実施形態では、清掃具１は、把持部３を有する第１アーム部５と、第２アーム部９と、回転部７と、清掃体取付部１１とを備えているが、本開示のアーム部は、任意の構造を有する清掃具に用いられる。
例えば、本開示のアーム部は、本開示のアーム部と、清掃体取付部とからなる清掃具に用いられうる。また、本開示のアーム部は、アーム部と、清掃体取付具とが、回転部を間に挟んで連結されている清掃具に用いられうる。
【０１５９】
本開示のアーム部が、本開示のアーム部と、回転部と、第２アーム部と、清掃体取付具とが、その順番で連結されている清掃具に用いられる場合には、第２アーム部は、伸縮不可能であっても、伸縮可能で有ってもよい。第２アーム部が伸縮可能である場合には、第２アーム部の軸線方向に伸縮可能であることが好ましい。第２アーム部の構造は、第１実施形態に示されるものに限定されず、公知の伸縮構造を採用可能である。
【０１６０】
本開示のアーム部が、本開示のアーム部と、回転部と、所望による第２アーム部と、清掃体取付具とが、その順番で連結されている清掃具に用いられる場合には、上記回転部は、第１実施形態に示されるものに限定されず、公知の回転部構造、例えば、特許文献１、特開２００４−４９６１９号、特開２００９−１７９５８号、特開２００９−３４３３８号等に記載の構造を採用可能である。
【０１６１】
上記清掃体取付部は、特に制限されず、公知の構造、例えば、上述の公報に記載される構造を有することができる。
上記清掃体は、使い捨てのもの、洗浄等を経て繰り返し使用するのもの等、任意の公知の清掃体であることができる。
【符号の説明】
【０１６２】
１    清掃具
３    把持部
５    第１アーム部
７    回転部
９    第２アーム部
１１    清掃体取付部
１３    先端
１５    基端
１０１    清掃体
２０１    第１アーム部第１筒体
２０２    第１筒体中空部
２０３    第１アーム部第２筒体
２０４    第２筒体中空部
２０５    第１アーム部第３筒体
２０６    第３筒体中空部
２０７    第１アーム部第４筒体
２０８    第４筒体中空部
２２５    ロック部材
２２７    第１摺動部材
２２９    第２摺動部材
２３１    第３摺動部材
２３５，２３６    嵌合用第１窪み部
３０１    第１挿入部
３０３    第１筒状部
３０７，３０８    第１高たわみ部
３０９，３１０    第１低たわみ部
３１１    第１周方向延出部
３１３    第１スリット部
θ    アーム角度
ＡＬ1    第１アーム部軸線
ＡＬ2    第２アーム部軸線
ＲＡ    回転軸線
ＲＤ    回転方向
ＦＤ    たわみ方向
ＰＤ    周方向
【図１】
2018126335.tif 000003
【図２】
2018126335.tif 000004
【図３】
2018126335.tif 000005
【図４】
2018126335.tif 000006
【図５】
2018126335.tif 000007
【図６】
2018126335.tif 000008
【図７】
2018126335.tif 000009
【図８】
2018126335.tif 000010
【図９】
2018126335.tif 000011
【図１０】
2018126335.tif 000012
【図１１】
2018126335.tif 000013
【図１２】
2018126335.tif 000014
【図１３】
2018126335.tif 000015
【図１４】
2018126335.tif 000016
【図１５】
2018126335.tif 000017
【図１６】
2018126335.tif 000018
【図１７】
2018126335.tif 000019
【図１８】
2018126335.tif 000020